(57)【特許請求の範囲】
【請求項１】
複数の受信機部と情報監視部とを備え、
前記情報監視部は、前記複数の受信機部のそれぞれの運用状況を監視して受信信号レベル値が所定の閾値より大きいダイバーシチ系を構成する片方の系となる所定の受信機部を見出し、該受信機部に対し所定の補正用信号を入力するように制御し、
前記所定の受信機部は、アンテナ部から受信する信号の代わりに前記補正用信号を入力し、前記補正用信号に基づいて受信遅延時間を補正することを特徴とする無線基地局装置。
【請求項２】
移動機からの受信電波を受信する複数のアンテナ部と、
前記複数のアンテナ部に接続されるスイッチ部と、
前記スイッチ部を介して前記複数のアンテナ部からそれぞれ供給される受信信号を受信する複数の受信機部と、
前記複数の受信機部のそれぞれの運用状況を監視する情報監視部と、
固定データパターンを有する補正用信号を生成して前記スイッチ部を介して前記受信機部に出力する補正用信号生成部と、
を備え、
前記情報監視部は、前記複数の受信機部を監視して受信信号レベル値が所定の閾値より大きいダイバーシチ系を構成する片方の系となる所定の受信機部を見出し、該受信機部に対し前記スイッチ部を制御して前記アンテナ部からの受信信号の代わりに前記補正用信号を供給し、該受信機部における前記補正用信号の遅延量に基づいて受信遅延時間を補正するように制御することを特徴とする無線基地局装置。
【請求項３】
前記情報監視部は、前記複数の受信機部のそれぞれにおける絶対遅延時間を監視し、無線基地局装置内の前記受信遅延時間を調整することを特徴とする請求項１または２記載の無線基地局装置。
【請求項４】
前記受信機部は、
無線周波数部と、
遅延補正部と、
データ制御部と、
遅延制御部と、
を備え、
前記無線周波数部は、入力した変調信号から変換した主信号を前記遅延補正部に出力すると共に、該主信号の出力レベルを一定に保つＡＧＣアンプを備え、該ＡＧＣアンプの調整量を前記データ制御部に与え、
前記遅延補正部は、前記無線周波数部から出力される主信号に対し遅延補正値に基づく遅延を与えて前記データ制御部に出力し、
前記データ制御部は、前記無線周波数部が出力する前記ＡＧＣアンプの調整量から前記受信レベルを算出して受信レベル情報として前記情報監視部に出力すると共に、前記遅延補正部で遅延補正された主信号と前記情報監視部からの制御情報とによって遅延時間補正用の受信データ信号を取り出し、
前記遅延制御部は、前記データ制御部によって取り出された遅延時間補正用の受信データ信号と前記情報監視部からの制御トリガ情報とによって補正に必要な前記遅延補正値を算出することを特徴とする請求項１または２記載の無線基地局装置。
【請求項５】
前記データ制御部は、
データベース部と、
データ照合部と、
受信レベル算出部と、
を備え、
前記データベース部は、前記情報監視部からの制御情報を元に補正用信号データを前記データ照合部に出力し、
前記データ照合部は、前記補正用信号データを元に前記遅延補正部から入力される遅延補正された主信号と比較し、信号の先頭部分を抽出し、前記遅延制御部に受信データ信号として出力し、
前記受信レベル算出部は、前記無線周波数部から与えられる前記ＡＧＣアンプの調整量から受信している信号レベルを算出し、前記情報監視部に対して受信レベル情報として出力することを特徴とする請求項４記載の無線基地局装置。
【請求項６】
前記遅延制御部は、
タイミング比較器と、
遅延値オフセット部と、
メモリ部と、
を備え、
前記タイミング比較器は、前記データ制御部からの受信データ信号と前記情報監視部からの制御トリガ情報とを比較し、遅延補正情報を前記遅延値オフセット部に出力し、補正値情報を前記メモリ部に出力し、
前記遅延値オフセット部は、前記遅延補正情報をもとに補正すべき遅延量を決定して遅延補正値として前記遅延補正部に出力し、
前記メモリ部は、前記補正値情報を記憶しておき、前記情報監視部に受信遅延情報として出力することを特徴とする請求項４記載の無線基地局装置。
【請求項７】
複数の受信機部と情報監視部とを備える無線基地局装置の遅延時間補正方法であって、
前記情報監視部が前記複数の受信機部のそれぞれの運用状況を監視して受信信号レベル値が所定の閾値より大きいダイバーシチ系を構成する片方の系となる所定の受信機部を見出すステップと、
前記情報監視部が前記所定の受信機部に対し所定の補正用信号を入力するように制御するステップと、
前記所定の受信機部がアンテナ部から受信する信号の代わりに前記補正用信号を入力するステップと、
前記所定の受信機部が前記補正用信号に基づいて受信遅延時間を補正するステップと、
を含むことを特徴とする無線基地局装置の遅延時間補正方法。
【請求項８】
移動機からの受信電波を受信する複数のアンテナ部と、
前記複数のアンテナ部に接続されるスイッチ部と、
前記スイッチ部を介して前記複数のアンテナ部からそれぞれ供給される受信信号を受信する複数の受信機部と、
前記複数の受信機部のそれぞれの運用状況を監視する情報監視部と、
固定データパターンを有する補正用信号を生成して前記スイッチ部を介して前記受信機部に出力する補正用信号生成部と、
を備える無線基地局装置の遅延時間補正方法であって、
前記情報監視部が前記複数の受信機部を監視して受信信号レベル値が所定の閾値より大きいダイバーシチ系を構成する片方の系となる所定の受信機部を見出すステップと、
前記情報監視部が前記所定の受信機部に対し前記スイッチ部を制御して前記アンテナ部からの受信信号の代わりに前記補正用信号を供給するステップと、
前記所定の受信機部は、前記所定の受信機部における前記補正用信号の遅延量に基づいて受信遅延時間を補正するステップと、
を含むことを特徴とする無線基地局装置の遅延時間補正方法。
【請求項９】
前記情報監視部は、前記複数の受信機部のそれぞれにおける絶対遅延時間を監視し、無線基地局装置内の前記受信遅延時間を調整することを特徴とする請求項７または８記載の無線基地局装置の遅延時間補正方法。
【発明の詳細な説明】
【技術分野】
【０００１】
本発明は、移動体無線通信に関し、特に、移動通信端末装置と無線通信する無線基地局装置の遅延補正技術に関する。
【背景技術】
【０００２】
通常、ラウンドトリップタイム（Round Trip Time）などのロケーションサービス（Location Service）では、
（ａ）無線基地局から移動通信端末装置までのダウンリンク（Down Link）信号（TCP: Transmission Control Protocol）の到達時間、及び、
（ｂ）移動通信端末装置からのアップリンク（Up Link）信号（ACK：Acknowledgment）の無線基地局装置までの到達時間、
の情報により、確認応答の待ち時間（Retransmission Timer Value）の決定や、位置の特定を行う。
【０００３】
このため、無線基地局装置内で発生する遅延時間の偏差を補正し、同一無線基地局装置内の遅延時間を情報として持つなどして、遅延時間の補正が行われる必要がある。無線基地局装置内の遅延時間の補正は、従来、一般に送信機用のテスタなどを用いることにより、遅延時間の偏差を測定し、遅延時間調整回路により遅延量を調整することで行われている。このため、現地での人的対応（人手による作業）や、測定系が必要である等の課題がある。
【０００４】
また、上記補正方法による遅延量の補正が、無線基地局の設置時に行われ、経年変化による無線基地局内の遅延量の変動に対しては、運用を停止して、再調整する必要がある。
【０００５】
このような課題に関連して、特許文献１には、アダプティブアレーアンテナを用い、通話品質を劣化させずにキャリブレーションを行う無線受信装置が開示されている。この無線受信装置は、ダイバシチ受信でもアレーアンテナ受信と同等の受信品質を確保できるときに、アレーアンテナ受信に代えてダイバシチ受信を行い、アレー無線受信手段をアンテナから分離してキャリブレーションを行うものである。すなわち、ダイバシチ受信の受信品質を監視するダイバシチ受信品質監視手段と、アレー無線受信手段とアレー信号処理手段とにより行われるアレーアンテナ受信の受信品質を監視するアレー受信品質監視手段とを備え、ダイバシチ受信の受信品質がアレーアンテナ受信の受信品質と同等であるときに、復調信号切替手段にダイバシチ受信手段の出力を選択するように指示し、キャリブレーション信号切替手段にキャリブレーション信号を選択するように指示している。
【０００６】
また、関連する技術として特許文献２には、キャリブレーション信号をバースト的に生成し、ユーザ送信信号またはユーザ受信信号に多重して運用時の無線送受信部に供給し、一定のキャリブレーション精度が得られる範囲で、キャリブレーション信号の送信電力を最小にし、さらにキャリブレーション間隔をできるだけ長くすることにより、干渉波成分の増加を押さえ優れた品質の送受信部を得るアレーアンテナ送受信装置が開示されている。
【０００７】
【特許文献１】特開２００１-１５６６８８号公報
【特許文献２】特開２００２-３５３８６５号公報
【発明の開示】
【発明が解決しようとする課題】
【０００８】
特許文献１では、アレーアンテナ受信とダイバシチ受信の受信品質を監視し、ダイバシチ受信の受信品質がアレーアンテナ受信の受信品質と同等であればダイバシチ受信の結果をアレーアンテナ受信の結果に代えて復調信号として取り込むように切替え、各アレー無線受信手段にキャリブレーション信号を入力し、各アレー無線受信手段の出力に基づき各アレー無線受信手段の振幅変動および位相シフトの補正量を得るようにしている。しかしながら、遅延量を調整するには、系として複雑であって、適用可能な装置が限定されてしまう虞がある。
【０００９】
これに対し、本願発明者によって、無線基地局装置内の送信遅延時間の変動に対し、運用状態を考慮しサービスを中断することなく、無線基地局装置内の送信遅延時間を補正可能とするとともに、精度の良い位置検出を行える無線基地局装置が先願の技術として発明されている（特願２００４−０９３５３０）。この技術における遅延時間補正方式は、温度変動、及び、経年変化による無線基地局装置内の送信遅延時間の変動に対し、運用状態を考慮しサービスを中断することなく、無線基地局装置内の送信遅延時間を補正することにより、精度の良い位置検出を行えるものである。
【００１０】
ところで無線基地局装置の遅延時間変動は、送信側のみならず受信側でも起こりうるものである。したがって、送信側における遅延時間補正を行う先願の技術では、受信側における遅延時間補正を行うことができず、無線基地局装置全体の遅延時間補正としては必ずしも十分なものとはいえなかった。
【課題を解決するための手段】
【００１１】
本発明の１つのアスペクトに係る無線基地局装置は、複数の受信機部と情報監視部とを備える。情報監視部は、複数の受信機部のそれぞれの運用状況を監視して受信信号レベル値が所定の閾値より大きいダイバーシチ系を構成する片方の系となる所定の受信機部を見出し、該受信機部に対し所定の補正用信号を入力するように制御し、所定の受信機部は、アンテナ部から受信する信号の代わりに補正用信号を入力し、補正用信号に基づいて受信遅延時間を補正する。
【００１２】
本発明の他のアスペクトに係る無線基地局装置は、移動機からの受信電波を受信する複数のアンテナ部と、複数のアンテナ部に接続されるスイッチ部と、スイッチ部を介して複数のアンテナ部からそれぞれ供給される受信信号を受信する複数の受信機部と、複数の受信機部のそれぞれの運用状況を監視する情報監視部と、固定データパターンを有する補正用信号を生成してスイッチ部を介して受信機部に出力する補正用信号生成部と、を備える。情報監視部は、複数の受信機部を監視して受信信号レベル値が所定の閾値より大きいダイバーシチ系を構成する片方の系となる所定の受信機部を見出し、該受信機部に対しスイッチ部を制御してアンテナ部からの受信信号の代わりに補正用信号を供給し、該受信機部における補正用信号の遅延量に基づいて受信遅延時間を補正するように制御する。
【００１３】
第１の展開形態の無線基地局装置において、情報監視部は、複数の受信機部のそれぞれにおける受信レベルを監視することで、所定の受信機部を見出すようにしてもよい。
【００１４】
第２の展開形態の無線基地局装置において、情報監視部は、複数の受信機部のそれぞれにおける絶対遅延時間を監視し、無線基地局装置内の受信遅延時間を調整するようにしてもよい。
【００１５】
第３の展開形態の無線基地局装置において、受信機部は、無線周波数部と、遅延補正部と、データ制御部と、遅延制御部と、を備え、無線周波数部は、入力した変調信号から変換した主信号を遅延補正部に出力すると共に、該主信号の出力レベルを一定に保つＡＧＣアンプを備え、該ＡＧＣアンプの調整量をデータ制御部に与え、遅延補正部は、無線周波数部から出力される主信号に対し遅延補正値に基づく遅延を与えてデータ制御部に出力し、データ制御部は、無線周波数部が出力するＡＧＣアンプの調整量から受信レベルを算出して受信レベル情報として情報監視部に出力すると共に、遅延補正部で遅延補正された主信号と情報監視部からの制御情報とによって遅延時間補正用の受信データ信号を取り出し、遅延制御部は、データ制御部によって取り出された遅延時間補正用の受信データ信号と情報監視部からの制御トリガ情報とによって補正に必要な遅延補正値を算出するようにしてもよい。
【００１６】
第４の展開形態の無線基地局装置において、データ制御部は、データベース部と、データ照合部と、受信レベル算出部と、を備え、データベース部は、情報監視部からの制御情報を元に補正用信号データをデータ照合部に出力し、データ照合部は、補正用信号データを元に遅延補正部から入力される遅延補正された主信号と比較し、信号の先頭部分を抽出し、遅延制御部に受信データ信号として出力し、受信レベル算出部は、無線周波数部から与えられるＡＧＣアンプの調整量から受信している信号レベルを算出し、情報監視部に対して受信レベル情報として出力するようにしてもよい。
【００１７】
第５の展開形態の無線基地局装置において、遅延制御部は、タイミング比較器と、遅延値オフセット部と、メモリ部と、を備え、タイミング比較器は、データ制御部からの受信データ信号と情報監視部からの制御トリガ情報とを比較し、遅延補正情報を遅延値オフセット部に出力し、補正値情報をメモリ部に出力し、遅延値オフセット部は、遅延補正情報をもとに補正すべき遅延量を決定して遅延補正値として遅延補正部に出力し、メモリ部は、補正値情報を記憶しておき、情報監視部に受信遅延情報として出力するようにしてもよい。
【００１８】
本発明の１つのアスペクトに係る無線基地局装置の遅延時間補正方法は、複数の受信機部と情報監視部とを備える無線基地局装置の遅延時間補正方法である。この方法は、情報監視部が複数の受信機部のそれぞれの運用状況を監視して受信信号レベル値が所定の閾値より大きいダイバーシチ系を構成する片方の系となる所定の受信機部を見出すステップと、情報監視部が所定の受信機部に対し所定の補正用信号を入力するように制御するステップと、所定の受信機部がアンテナ部から受信する信号の代わりに補正用信号を入力するステップと、所定の受信機部が補正用信号に基づいて受信遅延時間を補正するステップと、を含む。
【００１９】
本発明の他のアスペクトに係る無線基地局装置の遅延時間補正方法は、移動機からの受信電波を受信する複数のアンテナ部と、複数のアンテナ部に接続されるスイッチ部と、スイッチ部を介して複数のアンテナ部からそれぞれ供給される受信信号を受信する複数の受信機部と、複数の受信機部のそれぞれの運用状況を監視する情報監視部と、固定データパターンを有する補正用信号を生成してスイッチ部を介して受信機部に出力する補正用信号生成部と、を備える無線基地局装置の遅延時間補正方法である。この方法は、情報監視部が複数の受信機部を監視して受信信号レベル値が所定の閾値より大きいダイバーシチ系を構成する片方の系となる所定の受信機部を見出すステップと、情報監視部が所定の受信機部に対しスイッチ部を制御してアンテナ部からの受信信号の代わりに補正用信号を供給するステップと、所定の受信機部は、所定の受信機部における補正用信号の遅延量に基づいて受信遅延時間を補正するステップと、を含む。
【発明の効果】
【００２０】
本発明によれば、温度変動、及び、経年変化による無線基地局装置内の受信遅延時間の変動に対し、運用状態を考慮しサービスを中断することなく、無線基地局装置内の受信遅延時間を補正することにより、精度の良い位置検出を行える。
【発明を実施するための最良の形態】
【００２１】
本発明の実施形態に係る無線基地局装置（図１の１）は、情報監視部（図１の２）で各受信機部（図１の１０ａ〜１０ｎ）内のデータ制御部（図１の４）から報告される運用状態を常に監視し、その運用状態に応じて制御可能な受信機を選択する。具体的には、受信信号レベル値が高い状況下におけるダイバーシチ系の片系となる受信機部を選択して補正対象とする。この補正対象となる受信機部に対し制御トリガ信号を生成して出力すると共に、補正用信号生成部（図１の７）およびスイッチ部（図１の８）を制御し、この受信機部に対しアンテナ部（図１の９ａ）から受信する主信号の代わりに補正用信号生成部（図１の７）から出力される補正用信号を入力する。そして、受信機部の遅延制御部（図１の３）では、情報監視部（図１の２）からの制御トリガ信号とデータ制御部（図１の４）にて受信される補正用信号のデータパターンとを比較することで受信遅延時間を算出する。さらに、算出された受信遅延時間に基づいて受信機部における遅延時間の補正を行う。
【００２２】
このような構成の無線基地局装置は、受信状態に応じてダイバーシチ系の片系ずつを制御することで運用状態を考慮しそのサービスを中断することなく、無線基地局装置内の受信遅延時間を補正する。
【００２３】
本発明における受信遅延時間補正方式は、温度変動及び、経年変化による基地局装置内の受信遅延時間の変動に対し、運用状態を考慮してそのサービスを中断することなく、無線基地局装置内の受信系の遅延時間を補正することによって精度の良い位置検出を行うことができる。以下、実施例に即し、図面を参照して詳細に説明する。
【実施例】
【００２４】
図１は、本発明の実施例に係る無線基地局装置の構成を示すブロック図である。図１において、無線基地局装置１は、情報監視部２、情報監視部２の監視下にある複数台の受信機部１０ａ〜１０ｎ、補正用信号生成部７、スイッチ（ＳＷ）部８、アンテナ素子９ａ〜９ｎを備える。ここで、受信機部１０ａ〜１０ｎは、同一構成であって、図１では受信機部１０ａが、複数台ある受信機部の１台の内部構成を示している。また、受信機部１０ａ〜１０ｎは、遅延制御部３、データ制御部４、遅延補正部５、無線周波数部（ＲＦ部）６を備える。なお、無線基地局装置１は、その他送信系の機能、他の上位装置との接続制御機能等を有するが、本発明に関係しないので、その説明を省略する。
【００２５】
情報監視部２は、受信機部１０ａ〜１０ｎの運用状態を統括して監視しており、受信機部１０ａ〜１０ｎからそれぞれ受信レベル情報２４ａ〜２４ｎや受信遅延情報２２ａ〜２２ｎを収集する。そして、受信機部１０ａ〜１０ｎの受信レベル状態に応じて制御トリガ信号２１ａ〜２１ｎ、制御情報２３ａ〜２３ｎをそれぞれ受信機部１０ａ〜１０ｎに出力する。また、例えば補正対象となる受信機部が受信機部１０ａであるならば、情報監視部２は、受信機部１０ａに対して補正信号の入力を行うように、補正用信号生成部７およびスイッチ部８を制御し、受信機部１０ａに対し、補正用信号生成部７において生成された補正用基準信号２８をアンテナ素子９ａからの変調信号２６ａと切り替えて入力するようにする。他方、ＳＷ部８での切替と同時に受信機部１０ａ内の遅延制御部３に対して制御トリガ信号２１ａを出力する。
【００２６】
遅延制御部３は、データ制御部４によって取り出された遅延時間補正用の受信データ信号１４と情報監視部２からの制御トリガ情報２１ａによって補正に必要な遅延補正値１３を算出する機能を有する。すなわち、遅延制御部３は、情報監視部２からの制御トリガ信号２１ａとデータ制御部４にて受信される受信データ信号１４のデータパターンとを比較することで受信遅延時間を算出し、無線基地局装置１内の各受信機部１０ａ〜１０ｎで同じ遅延時間となるよう遅延補正部５に対し遅延時間の補正を行うよう遅延補正値１３を出力する。
【００２７】
データ制御部４は、ＲＦ部６が出力するＡＧＣアンプ調整量１７から受信機部１０ａの受信レベルを算出して受信レベル情報２４ａとして情報監視部２に出力する。また、遅延補正された主信号１６と情報監視部２からの制御情報２３ａとにより遅延時間補正用の基準信号となる受信データ信号１４を取り出して遅延制御部３に与える。さらに、データ制御部４では、ＡＧＣアンプ調整量１７を元に常に受信レベル情報２４ａを算出し、情報監視部２に対し報告する。
【００２８】
遅延補正部５は、ＲＦ部６から出力される主信号１５に対し、遅延補正値１３に基づいた遅延を与え、主信号１６としてデータ制御部４に出力する。
【００２９】
ＲＦ部６は、図示されないアナログ／ディジタル変換器（ＡＤＣ）、ミキサ、帯域制限フィルタ（ＢＰＦ）、アンプ、ＡＧＣアンプ、カプラなどのデバイスにより構成されている。ＡＧＣアンプは、ＡＤＣ入力が常に一定に保たれるように動作している。そして、ＲＦ部６は、入力した信号をダウンコンバートし、デジタルデータに変換した主信号１５を遅延補正部５に出力する。また、ＡＧＣアンプ出力を一定に保ち、受信レベルを算出する基準となるＡＧＣアンプ調整量１７をデータ制御部４に与える。
【００３０】
補正用信号生成部７は、データ制御部４内に実装されるデータベース部（図２の４１）と同等の固定された振幅情報やコード情報などのデータパターンを持つ変調信号である補正用基準信号２８を生成する。そして、情報監視部２からの出力指示信号２７に応じて、補正用基準信号２８をスイッチ（ＳＷ）部８に対し出力する。
【００３１】
スイッチ（ＳＷ）部８は、アンテナ素子９ａ〜９ｎからのそれぞれの変調信号２６ａ〜２６ｎを受信機部１０ａ〜１０ｎに対してそれぞれ変調信号２５ａ〜２５ｎとして出力する。また、情報監視部２から出力されるスイッチ制御信号２９に応じて、変調信号２６ａ〜２６ｎの一つに代えて補正用基準信号２８を、選択した受信機部に出力する。例えば、変調信号２６ａに代えて補正用基準信号２８を受信機部１０ａに対して変調信号２５ａとして出力する。
【００３２】
アンテナ素子９ａ〜９ｎは、それぞれ移動機からの電波を受信し、変調信号２６ａ〜２６ｎとしてスイッチ（ＳＷ）部８に出力する。
【００３３】
次に、遅延制御部３およびデータ制御部４の詳細について説明する。図２は、遅延制御部３およびデータ制御部４の内部構成を示すブロック図である。図２において、遅延制御部３は、タイミング比較器３１、メモリ部３２、遅延値オフセット部３３を備える。タイミング比較器３１は、データ制御部４からの受信データ信号１４と情報監視部２からの制御トリガ情報２１ａとを比較し、遅延補正情報３５を遅延値オフセット部３３に出力し、補正値情報３６をメモリ部３２に出力する。遅延値オフセット部３３は、遅延補正情報３５をもとに補正されるべき遅延量を決定し、遅延補正値１３として遅延補正部５に対して出力する。メモリ部３２は、補正値情報３６を記憶しておき、情報監視部２に対し受信遅延情報２２ａとして出力する。
【００３４】
また、データ制御部４は、データベース部４１、データ照合部４２、受信レベル算出部４３を備える。データベース部４１は、情報監視部２からの制御情報２３ａをもとに補正用信号データ３７をデータ照合部４２に出力する。データ照合部４２は、補正用信号データ３７を元に、遅延補正部５から入力される遅延補正された主信号１６と比較し、信号の先頭部分を抽出し、遅延制御部３に受信データ信号１４として出力する。受信レベル算出部４３は、ＲＦ部６から与えられるＡＧＣアンプ調整量１７から受信している信号レベルを算出し、情報監視部２に対して受信レベル情報２４ａとして常に出力している。
【００３５】
以上のように構成される無線基地局装置１は、ＣＤＭＡ方式を用いた無線基地局装置における受信部分に対して適用される。無線基地局装置１は、複数本のアンテナ素子９ａ〜９ｎを有しており、２本毎に受信ダイバーシチ構成を形成する。ここでは、受信機部１０ａと受信機部１０ｂとによって受信ダイバーシチ機能を形成するものと仮定する。アンテナ素子９ａから入力された変調信号２６ａは、ＳＷ部８を通り変調信号２５ａとしてＲＦ部６に入力される。ＲＦ部６でデジタルデータに変換された主信号１５は、遅延補正部５に入力され、遅延制御部３から与えられる遅延補正値１３に従い遅延が施され、遅延補正された主信号１６としてデータ制御部４に出力される。
【００３６】
一方、情報監視部２で監視している受信機１０ａ内のデータ制御部４において算出されている受信レベルが、ある閾値αでの運用状態であるとき、情報監視部２は、補正用信号生成部７に対し、固定のデータパターンを持つ補正用基準信号２８の出力を指示する出力指示信号２７を出す。出力指示信号２７を受け取った補正用信号生成部７は、補正用基準信号２８をＳＷ部８に出力する。補正用基準信号２８は、他の主信号系と同様にコードが割り当てられた変調波である。
【００３７】
また、情報監視部２は、受信機部１０ａがアンテナ素子９ａからの変調信号２６ａと切り替えて受信するようにＳＷ部８にスイッチ制御信号２９を出力する。ＳＷ部８により切り替えが行われると、ＲＦ部６へは、アンテナ素子９ａからの変調信号２６ａに代わり補正用基準信号２８が入力される。入力された補正用基準信号２８は、通常の主信号と同様に遅延補正部５を通りデータ制御部４に入力される。入力された主信号１６は、データ制御部４内のデータ照合部４２において情報監視部２からの制御情報２３ａをもとに補正用信号生成部７で使用されたデータと同等のデータを、データベース部４１から選択された補正用信号データ３７と照合を行うことでデータの先頭位置を抽出し、受信データ信号１４としてタイミング比較器３１に出力する。
【００３８】
タイミング比較器３１では、図３に示すように制御トリガ信号２１ａから受信データ信号１４の先頭データまでの絶対遅延時間Ｔｄを算出し、メモリ部３２に保存する。メモリ部３２に保存されたデータは、情報監視部２において監視されており、各受信機部１０ａ〜１０ｎの受信遅延時間が全てもしくは受信ダイバーシチを構成する２組毎が等しくなるように、情報監視部２からの制御情報２３ａによってデータ制御部４を経由して遅延制御部３内の遅延値オフセット部３３を制御し、遅延補正部５に与える補正値を決定する。遅延補正部５において、ＲＦ部６から出力される主信号１５に対し、遅延補正値１３に基づいた遅延の補正がなされる。
【００３９】
以上のように主信号の受信レベルが十分得られている状態において切り替えを行い、ダイバーシチでの他系のみでも十分に受信可能な状態時において実施されることから運用状態に影響を与えることなく遅延時間の調整が可能となる。
【００４０】
以上のように構成される無線基地局装置は、温度変動あるいは経年変化による無線基地局装置内の受信遅延時間の変動に対し、運用状態を考慮し、そのサービスを中断することなく、無線基地局装置内の受信遅延時間を補正することで精度の良い位置検出を行うことを可能とする。
【図面の簡単な説明】
【００４１】
【図１】本発明の実施例に係る無線基地局装置の構成を示すブロック図である。
【図２】遅延制御部およびデータ制御部の構成を示すブロック図である。
【図３】タイミング比較器におけるタイミングを表わす図である。
【符号の説明】
【００４２】
１  無線基地局装置
２  情報監視部
３  遅延制御部
４  データ制御部
５  遅延補正部
６  無線周波数部（ＲＦ部）
７  補正用信号生成部
８  ＳＷ部
９ａ〜９ｎ  アンテナ素子
１０ａ〜１０ｎ  受信機部
１３  遅延補正値
１４  受信データ信号
１５、１６  主信号
１７  ＡＧＣアンプ調整量
２１ａ〜２１ｎ  制御トリガ信号
２２ａ〜２２ｎ  受信遅延情報
２３ａ〜２３ｎ  制御情報
２４ａ〜２４ｎ  受信レベル情報
２５ａ〜２５ｎ、２６ａ〜２６ｎ  変調信号
２７  出力指示信号
２８  補正用基準信号
２９  スイッチ制御信号
３１  タイミング比較器
３２  メモリ部
３３  遅延値オフセット部
３５  遅延補正情報
３６  補正値情報
３７  補正用信号データ
４１  データベース部
４２  データ照合部
４３  受信レベル算出部
【図１】
0004613745.tif 000002
【図２】
0004613745.tif 000003
【図３】
0004613745.tif 000004